(57)【要約】【課題】スタイラスペンなどの入力指示部を持つ手が表示面のどの位置に触れていても、スタイラスペンの接触位置の誤検出を低減しうる技術を提供すること。【解決手段】位置情報出力装置は、入力指示部による入力を受け付けるタッチパネルを有する。タッチパネルは、表示装置の表示面における第１の辺方向に配列される第１電極群と、第１の辺方向に直交する第２の辺方向に配列される第２電極群を有する。位置情報出力装置は、第１の辺がユーザの左右方向となる第１姿勢、又は、第２の辺がユーザの左右方向となる第２姿勢を示す姿勢情報を取得する。位置情報出力装置は、姿勢情報に応じて、タッチパネルのドライブ方向とセンス方向とが切り替わるように第１電極群及び第２電極群を駆動させる。【選択図】図８
2014085910.tif 000002
【特許請求の範囲】
【請求項１】
表示装置の表示面における第１の辺方向に配列される第１電極群と、前記第１の辺方向に直交する第２の辺方向に配列される第２電極群とを有するタッチパネルと、
接続された前記第１電極群に走査信号を入力するドライブ機能と、前記第１電極群からセンシング信号を読み出すセンス機能を有する第１制御部と、
接続された前記第２電極群に走査信号を入力するドライブ機能と、前記第２電極群からセンシング信号を読み出すセンス機能を有する第２制御部と、
前記第１の辺が、入力指示部を用いて前記表示面に入力を行うユーザの左右方向となる第１姿勢、又は、前記第２の辺が前記ユーザの左右方向となる第２姿勢を示す姿勢情報を取得する取得部と、
前記取得部によって取得された前記姿勢情報が前記第１姿勢を示す場合には、前記第１制御部を前記ドライブ機能として機能させるとともに、前記第２制御部を前記センス機能として機能させ、前記姿勢情報が前記第２姿勢を示す場合には、前記第１制御部を前記センス機能として機能させるとともに、前記第２制御部を前記ドライブ機能として機能させる機能の切替を行う切替部と、
前記第１電極群又は前記第２電極群から読み出したセンシング信号に基づき、前記入力指示部が接触した位置を示す位置情報を出力する出力部と、
を備える位置情報出力装置。
【発明の詳細な説明】
【技術分野】
【０００１】
本発明は、位置情報出力装置に関し、特に、スタイラスペンなどの入力指示部を用いてタッチパネルに入力を行う場合の接触位置を検出する技術に関する。
【背景技術】
【０００２】
タッチパネルを備えたＰＤＡなどの電子機器において、スタイラスペンを用いて手書き入力を行う場合に、スタイラスペンを持つ手の一部を表示面に置いた状態で入力を行うことがある。スタイラスペンなどの入力指示部は、タッチパネルとの接触面積が手指よりも小さいので、検出される信号も手指に比べて小さい。そのため、手をついた状態でスタイラスペンで入力を行うと、スタイラスペンでの入力位置を誤検出する場合があった。下記特許文献１には、表示面の外周部において接触が検出された場合に、スタイラスペンを用いた入力であると判断し、所定の入力モードを自動設定する技術が開示されている。この入力モードでは、表示面の外周部で検出された接触領域の大きさや位置に応じて、手書き入力可能な手書き入力領域と非手書き入力領域とが設定される。特許文献１では、手書き入力領域において接触された位置をスタイラスペンによって入力された位置とすることで、手とスタイラスペンとを区別して検出している。
【先行技術文献】
【特許文献】
【０００３】
【特許文献１】特開２０１１‐７６４５２号公報
【発明の概要】
【発明が解決しようとする課題】
【０００４】
スタイラスペンを持つ手を表示面に支持させた状態で入力を行う際、表示面の外周部にしか手が触れない場合には、上記特許文献１の方法によってスタイラスペンの接触位置を検出することは可能である。しかしながら、スタイラスペンを持つ手が、例えば、表示面の中心部など、外周部より内側に触れている場合にはスタイラスペンの接触位置を検出することが難しい。
【０００５】
本発明は、スタイラスペンなどの入力指示部を持つ手が表示面のどの位置に触れていても、入力指示部の接触位置の誤検出を低減しうる技術を提供することを目的とする。
【課題を解決するための手段】
【０００６】
本発明の位置情報出力装置は、表示装置の表示面における第１の辺方向に配列される第１電極群と、前記第１の辺方向に直交する第２の辺方向に配列される第２電極群とを有するタッチパネルと、接続された前記第１電極群に走査信号を入力するドライブ機能と、前記第１電極群からセンシング信号を読み出すセンス機能を有する第１制御部と、接続された前記第２電極群に走査信号を入力するドライブ機能と、前記第２電極群からセンシング信号を読み出すセンス機能を有する第２制御部と、前記第１の辺が、入力指示部を用いて前記表示面に入力を行うユーザの左右方向となる第１姿勢、又は、前記第２の辺が前記ユーザの左右方向となる第２姿勢を示す姿勢情報を取得する取得部と、前記取得部によって取得された前記姿勢情報が前記第１姿勢を示す場合には、前記第１制御部を前記ドライブ機能として機能させるとともに、前記第２制御部を前記センス機能として機能させ、前記姿勢情報が前記第２姿勢を示す場合には、前記第１制御部を前記センス機能として機能させるとともに、前記第２制御部を前記ドライブ機能として機能させる機能の切替を行う切替部と、前記第１電極群又は前記第２電極群から読み出したセンシング信号に基づき、前記入力指示部が接触した位置を示す位置情報を出力する出力部と、を備える。
【発明の効果】
【０００７】
本発明の位置情報出力装置は、入力指示部を持つ手が表示面のどの位置に触れていても、入力指示部の接触位置の誤検出を低減することができる。
【図面の簡単な説明】
【０００８】
【図１】図１は、第１の実施形態に係る表示装置を示す図である。
【図２】図２は、第１の実施形態に係る表示装置の構成例を表すブロック図である。
【図３】図３は、第１の実施形態における表示装置の断面の一部を表した図である。
【図４】図４は、第１の実施形態におけるタッチパネルのハードウェア構成を表す図である。
【図５】図５は、第１の実施形態における表示パネルに接続されている構成を表す図である。
【図６】図６は、第１の実施形態における制御部の機能ブロックを示す図である。
【図７Ａ】図７Ａは、第１の実施形態における表示装置の横方向の姿勢を表す図である。
【図７Ｂ】図７Ｂは、第１の実施形態における表示装置の縦方向の姿勢を表す図である。
【図８】図８は、第１の実施形態におけるタッチパネルのタッチパネル切替処理を示す動作フローである。
【図９】図９は、第２の実施形態における形状パターンの例を示す図である。
【図１０】図１０は、第２の実施形態におけるタッチパネルのタッチパネル切替処理を示す動作フローである。
【図１１】図１１は、第３の実施形態に係る表示装置の構成例を表すブロック図である。
【図１２】図１２は、第３の実施形態におけるタッチパネルのタッチパネル切替処理を示す動作フローである。
【図１３】図１３は、変形例（１）におけるタッチパネルのタッチパネル切替処理を示す動作フローである。
【発明を実施するための形態】
【０００９】
本発明の一実施形態に係る位置情報出力装置は、表示装置の表示面における第１の辺方向に配列される第１電極群と、前記第１の辺方向に直交する第２の辺方向に配列される第２電極群とを有するタッチパネルと、接続された前記第１電極群に走査信号を入力するドライブ機能と、前記第１電極群からセンシング信号を読み出すセンス機能を有する第１制御部と、接続された前記第２電極群に走査信号を入力するドライブ機能と、前記第２電極群からセンシング信号を読み出すセンス機能を有する第２制御部と、前記第１の辺が、入力指示部を用いて前記表示面に入力を行うユーザの左右方向となる第１姿勢、又は、前記第２の辺が前記ユーザの左右方向となる第２姿勢を示す姿勢情報を取得する取得部と、前記取得部によって取得された前記姿勢情報が前記第１姿勢を示す場合には、前記第１制御部を前記ドライブ機能として機能させるとともに、前記第２制御部を前記センス機能として機能させ、前記姿勢情報が前記第２姿勢を示す場合には、前記第１制御部を前記センス機能として機能させるとともに、前記第２制御部を前記ドライブ機能として機能させる機能の切替を行う切替部と、前記第１電極群又は前記第２電極群から読み出したセンシング信号に基づき、前記入力指示部が接触した位置を示す位置情報を出力する出力部と、を備えるとしてもよい（第１の構成）。スタイラスペンなどの入力指示部を持つ手を表示面に支持させた状態で入力を行う場合、入力指示部とユーザの手の位置はユーザの左右方向、つまり、表示面の第１の辺方向又は第２の辺方向に沿って位置する。入力指示部とユーザの手の位置関係は、ユーザが入力を行う際の画面の向き、すなわち、表示装置の姿勢によって定まる。例えば、表示面が、第１の辺を長辺、第２の辺を短辺とする長方形の場合において、表示面が横長となる姿勢であれば、入力指示部とユーザの手は表示面の長辺方向に並ぶ。つまり、第１の辺がユーザから見て左右方向となる姿勢の場合には、入力指示部とユーザの手は表示面の第１の辺方向に位置する関係となる。第１の構成によれば、第１の辺方向がユーザの左右方向となる第１姿勢の場合には、第１の辺方向がドライブ（走査）方向となり、第２の辺方向がセンス（検知）方向となる。その結果、表示面のどの位置であっても、第２の辺方向において入力指示部とユーザの手が同時に検出されず、入力指示部の接触位置を検出することが可能となる。
【００１０】
第２の構成は、前記第１の構成において、前記切替部は、前記第１電極群又は前記第２電極群から読み出される信号が示す接触領域の形状に基づき、前記入力指示部を把持するユーザの手が前記表示面に接触している場合には、前記機能の切替を行う、としてもよい。この構成によれば、入力指示部を持つ手が表示面に接触している場合に、タッチパネルのドライブ方向とセンス方向とを切り替えることが可能となる。
【００１１】
第３の構成は、前記第１又は第２の構成において、前記機能の切替を行う指示を受け付ける受付部を備え、前記切替部は、前記受付部が前記指示を受け付けた場合に前記機能の切替を行うとしてもよい。この構成によれば、タッチパネルのドライブ方向とセンス方向の切替をユーザが任意に設定することができる。
【００１２】
第４の構成は、前記第１から第３のいずれかの構成において、前記取得部、前記第１制御部、前記第２制御部、前記切替部、及び前記出力部は、前記第１電極群及び前記第２電極群と接続された単一のＩＣ回路に含まれる、としてもよい。この構成によれば、大型のタッチパネルに適用することができる。
【００１３】
第５の構成は、前記第１から第３のいずれかの構成において、前記取得部、前記第１制御部、前記第２制御部、前記切替部、及び前記出力部は、前記第１電極群及び前記第２電極群と接続された複数のＩＣ回路に含まれる、としてもよい。この構成によれば、単一のＩＣ回路で構成されている場合と比べて、回路規模を小さくすることができ、電力消費を軽減することができる。
【００１４】
本発明の一実施形態に係る表示装置は、前記第１から第５のいずれかの構成と、画像を表示する表示パネルと、前記表示パネルの表示面の姿勢情報を取得し、前記姿勢情報に応じて前記表示パネルにおける画像の表示方向を切り替え、前記位置情報出力装置から出力される位置情報に基づく画像を前記表示パネルに表示させる表示制御部と、を備えるとしてもよい（第６の構成）。例えば、表示面が、第１の辺を長辺、第２の辺を短辺とする長方形の場合において、表示面が横長となる姿勢であれば、入力指示部とユーザの手は表示面の長辺方向に並ぶ。つまり、第１の辺がユーザから見て左右方向となる姿勢の場合には、入力指示部とユーザの手は表示面の第１の辺方向に位置する関係となる。第６の構成によれば、第１の辺方向がユーザの左右方向となる第１姿勢の場合には、第１の辺方向がドライブ（走査）方向となり、第２の辺方向がセンス（検知）方向となる。その結果、表示面のどの位置であっても、第２の辺方向において入力指示部とユーザの手が同時に検出されず、入力指示部の接触位置を検出することが可能となる。
【００１５】
第７の構成は、前記第６の構成において、自装置に生じる物理量を検出する検出部を備え、前記位置情報出力装置及び前記表示制御部は、前記検出部によって検出された物理量に基づく前記姿勢情報を取得する、としてもよい。この構成によれば、表示装置に生じる物理量に基づく姿勢情報に応じてタッチパネルのドライブ方向とセンス方向とを切り替えることができる。
【００１６】
第８の構成は、前記第６の構成において、画像の表示方向を示す表示情報を有するアプリケーションプログラムを取得し、実行する実行部と、前記位置情報出力装置及び前記表示制御部は、前記実行部によって実行される前記アプリケーションプログラムの前記表示情報に基づく前記姿勢情報を取得する、としてもよい。この構成によれば、実行されるアプリケーションに定められている画像の表示方向に応じてタッチパネルのドライブ方向とセンス方向とを切り替えることができる。
【００１７】
以下、本発明のより具体的な実施形態について、図面を参照しながら説明する。なお、以下で参照する各図は、説明の便宜上、本発明の実施形態の構成部材のうち、本発明を説明するために必要な主要部材のみを簡略化して示したものである。従って、本発明に係る表示装置は、本明細書が参照する各図に示されていない任意の構成部材を備え得る。また、図中同一又は相当部分には、同一符号を付して、その説明は繰り返さない。
【００１８】
（第１の実施形態）
（構成）
図１は、本発明に係る第１の実施形態の表示装置を表す図である。表示装置１は、例えばタブレット端末である。図１に示すように、ユーザは、入力指示部としてスタイラスペン２を用い、表示領域Ｓａ（表示面）に対して入力を行う。以下、表示装置１の具体的な構成について説明する。図２は、表示装置１の構成例を表すブロック図である。図２に示すように、表示装置１は、タッチパネル１０、タッチパネル制御部１１、表示パネル２０、表示パネル制御部２１、バックライト３０、バックライト制御部３１、検出部４０、制御部５０、操作部６０、及び記憶部７０を有する。図３は、タッチパネル１０、表示パネル２０、バックライト３０の断面を表す模式図である。図３に示すように、タッチパネル１０と表示パネル２０とバックライト３０は、この図の順に重ねて配置されている。
【００１９】
タッチパネル１０は、スタイラスペン２の接触による指示を受け付ける入力手段として機能する。図４は、タッチパネル１０のハードウェア構成を示す模式図である。タッチパネル１０は、静電容量型のタッチパネルである。タッチパネル１０は、透光性を有するガラスなどで構成された基板上にセンシング領域Ｓｂを有する。センシング領域Ｓｂは、長方形状を有し、スタイラスペン２による指示を受け付ける入力エリアである。センシング領域Ｓｂは、表示パネル２０の長方形状の表示領域Ｓａと重なるように設けられている。センシング領域Ｓｂには、長辺に沿って配列された複数の電極１０１と、短辺に配列された複数の電極１０２とが設けられている。電極１０１と電極１０２は、後述のタッチパネル制御部１１ａ及び１１ｂにそれぞれ接続されている。
【００２０】
タッチパネル制御部１１は、図４に示すように、タッチパネル制御部１１ａ及び１１ｂを含む。本実施形態において、タッチパネル制御部１１は、第１制御部及び第２制御部として機能する。以下、タッチパネル制御部１１ａ及び１１ｂを区別しないときは、タッチパネル制御部１１と称する。タッチパネル制御部１１は、図示しないＣＰＵ（Central Processing Unit）と、ＲＯＭ（Read Only Memory）及びＲＡＭ(Random Access Memory)を含むメモリとを有する。タッチパネル制御部１１は、ＲＯＭに記憶されている制御プログラムを実行することにより、制御部５０からの制御信号に応じてタッチパネル１０を駆動する。
【００２１】
具体的には、タッチパネル制御部１１ｂは、制御部５０から制御信号が入力されると、電極１０２に順次走査信号を出力して、電極１０１と電極１０２の間の静電容量を検出した結果（センシング信号）を電極１０１から取得する。一方、タッチパネル制御部１１ａは、制御部５０から制御信号が入力されると、電極１０１に順次走査信号を出力して、電極１０１と電極１０２の間の静電容量を検出した結果（センシング信号）を電極１０２から取得する。つまり、制御部５０から制御信号が入力されたタッチパネル制御部１１により、電極１０１と電極１０２は、走査信号が入力されるドライブ側電極と、静電容量の検出結果を出力するセンス側電極に切り替えられる。
【００２２】
また、タッチパネル制御部１１は、出力された検出結果に基づいて接触位置を示す位置情報を出力する出力部として機能する。具体的には、タッチパネル制御部１１は、出力された検出結果が示す電圧値と予め定められた閾値とを比較する。タッチパネル制御部１１は、電圧値が閾値以上である場合にはその電圧値が得られた電極１０１と電極１０２の位置に対応する座標を接触位置として特定し、特定した座標を示す情報を制御部５０へ出力する。
【００２３】
図２に戻り説明を続ける。表示パネル２０は、本実施形態では、透過型の液晶パネルが用いられている。図３に示すように、表示パネル２０は、アクティブマトリクス基板２０ｂと対向基板２０ａとを有する。アクティブマトリクス基板２０ｂと対向基板２０ａとの間には、液晶層（図示略）が封入されている。アクティブマトリクス基板２０ｂには薄膜トランジスタと画素電極が設けられている。対向基板２０ａには共通電極が設けられ、各画素に対応する位置にカラーフィルタが設けられている。表示パネル２０は、マトリクス状に形成された複数の画素（図示略）を有する。これら複数の画素が形成された領域が表示領域Ｓａとなる。
【００２４】
図５は、表示パネル２０と、表示パネル２０と接続されている各部とを示す図である。図５に示すように、アクティブマトリクス基板２０ｂにおける薄膜トランジスタのゲート電極にはゲート線２０ｇが接続されている。アクティブマトリクス基板２０ｂにおける薄膜トランジスタのソース電極にはソース線２０ｓが接続されている。アクティブマトリクス基板２０ｂは、ゲート線２０ｇを介してゲートドライバ２０１と電気的に接続されている。また、アクティブマトリクス基板２０ｂは、ソース線２０ｓを介してソースドライバ２０２と電気的に接続されている。ゲートドライバ２０１とソースドライバ２０２は、表示パネル制御部２１と電気的に接続されている。
【００２５】
表示パネル制御部２１は、図示しないＣＰＵとメモリ（ＲＯＭ及びＲＡＭ）とを有する。表示パネル制御部２１は、制御部５０から出力される姿勢情報に応じて、表示すべき画像データの表示方向が横方向又は縦方向となるように表示パネル１０を駆動させる信号をゲートドライバ２０１とソースドライバ２０２に出力する。ゲートドライバ２０１は、表示パネル制御部２１から出力されるタイミング信号に基づいて複数のゲート線２０ｇを介して薄膜トランジスタに対して走査信号を出力する。各ゲート線２０ｇからゲート電極に走査信号が入力されると、走査信号に応じて薄膜トランジスタが駆動される。ソースドライバ２０２は、表示パネル制御部２１から出力されるデータ信号を電圧信号に変換する。ソースドライバ２０２は、ゲートドライバ２０１の走査信号の出力タイミングに合わせて電圧信号をソース線２０ｓに出力する。これにより、画素電極と共通電極との間に位置する液晶層において、液晶分子が電圧信号に応じて配向状態を変える。その結果、各画素の階調が制御され、表示パネル２０において画像信号に応じた画像が表示される。
【００２６】
図１に戻り、説明を続ける。バックライト３０は、表示パネル２０の背面側に配置されている。バックライト３０は、光源として複数のＬＥＤ（Light Emitting Diode）を有する。バックライト制御部３１は、図示しないＣＰＵとメモリ（ＲＯＭ及びＲＡＭ）とを有する。バックライト制御部３１は、制御部５０の制御の下、定められた明るさとなるようにバックライト３０から光を照射させる。
【００２７】
検出部４０は、表示装置１の内部に設けられている。検出部４０は、２軸（ｘｙ軸）の加速度センサーを有する。加速度センサーのｘ軸は、表示領域Ｓａの長辺方向と略平行となるように設定されている。加速度センサーのｙ軸は、表示領域Ｓａの短辺方向と略平行となるように設定されている。検出部４０は、表示装置１の傾きに応じたｘｙ軸方向の加速度（物理量）を検出する。検出部４０は、検出したｘｙ軸方向の加速度を示す加速度データ（ａｘ，ａｙ）を制御部５０に出力する。
【００２８】
制御部５０は、図示しないＣＰＵとメモリ（ＲＯＭ及びＲＡＭ）を有する。制御部５０は、制御部ＲＯＭに記憶されている制御プログラムをＣＰＵが実行することにより、制御部５０と接続されている各部を制御し、タッチパネル切替処理や、ユーザによるスタイラスペン２０や操作部６０の操作に応じて、アプリケーションプログラムの起動や終了などを行う。
【００２９】
図６は、タッチパネル切替処理を実行する制御部５０の機能ブロック図である。制御部５０は、取得部５１及び切替部５２を有する。取得部５１は、検出部４０から出力される加速度データを取得し、表示装置１の姿勢、つまり表示領域Ｓａの向き（横方向又は縦方向）を特定する。取得部５１は、特定した姿勢を示す姿勢情報を表示パネル制御部２１へ出力する。姿勢情報は、図１において、表示領域Ｓａの長辺方向（第１の辺方向）がＸ軸と略平行となる横長の状態（以下、横方向と称する）と、表示領域Ｓａの短辺方向（第２の辺方向）がＸ軸と略平行となっている縦長の状態（以下、縦方向と称する）のいずれかを示す。つまり、図７Ａに示すように、横方向の状態は、スタイラスペン２を用いて入力を行うユーザから見て表示領域Ｓａの長辺方向がユーザの左右方向となる姿勢である（第１姿勢の一例）。一方、図７Ｂに示すように、縦方向の状態は、スタイラスペン２を用いて入力を行うユーザから見て表示領域Ｓａの短辺方向がユーザの左右方向となる姿勢である（第２姿勢の一例）。
【００３０】
ここで、表示装置１の姿勢の特定について図７Ａ及び図７Ｂを用いて説明する。図７Ａ及び図７ＢにおいてＹ軸正方向が重力方向となる。図７Ａに示すように表示装置１が横方向に支持された場合、加速度センサーのｙ軸方向に重力加速度に相当する加速度が生じる。また、図７Ｂに示すように表示装置１が縦方向に支持された場合、加速度センサーのｘ軸方向に重力加速度に相当する加速度が生じる。取得部５１は、検出部４０から出力された加速度データａｙが重力加速度に相当する場合には表示装置１の姿勢が横方向であると特定する。一方、検出部４０から出力された加速度データａｘが重力加速度に相当する場合には、取得部５１は表示装置１の姿勢が縦方向であると特定する。
【００３１】
切替部５２は、取得部５１による特定により取得された姿勢情報に基づいて、タッチパネル１０のドライブ方向とセンス方向の切り替えを行う。つまり、切替部５２は、姿勢情報が横方向の場合（図７Ａ）、タッチパネル切替処理において第１切替設定を行う。第１切替設定は、長辺方向をタッチパネル１０のドライブ方向とし、短辺方向をタッチパネル１０のセンス方向に切り替える処理である。つまり、タッチパネル制御部１１ｂによってタッチパネル１０を駆動する処理である。この場合、切替部５２は、タッチパネル制御部１１ｂに、タッチパネル１０を駆動させることを示す制御信号を出力する。
【００３２】
一方、姿勢情報が縦方向の場合（図７Ｂ）、切替部５２は、タッチパネル切替処理において第２切替設定を行う。第２切替設定は、短辺方向をタッチパネル１０のドライブ方向とし、長辺方向をタッチパネル１０のセンス方向に切り替える処理である。つまり、タッチパネル制御部１１ａによってタッチパネル１０を駆動する処理である。この場合、切替部５２は、タッチパネル制御部１１ａに、タッチパネル１０を駆動させることを示す制御信号を出力する。
【００３３】
図２に戻り、説明を続ける。操作部６０は、電源スイッチやメニューボタンなどの操作子を有する。操作部６０は、ユーザによって操作された操作内容を示す操作信号を制御部５０に出力する。記憶部７０は、ハードディスクなどの記憶媒体である。記憶部７０は、表示装置１上で動作するアプリケーションプログラム、画像データなどの各種データを記憶する。
【００３４】
（動作）
次に、表示装置１の動作例について説明する。図８は、本実施形態に係る表示装置１のタッチパネル切替処理を示す動作フローである。
【００３５】
制御部５０は、操作部６０を介してアプリケーションを起動する指示を受け付けるまで待機し（ステップＳ１１：ＮＯ）、アプリケーションを起動する指示を受け付けると（ステップＳ１１：ＹＥＳ）、指示されたアプリケーションのプログラムを記憶部７０内から読み出して起動する（ステップＳ１２）。制御部５０は、検出部４０において加速度の検出を行い、表示装置１の姿勢の検出を開始する（ステップＳ１３）。具体的には、制御部５０は、検出部４０から出力される加速度データ（ａｘ，ａｙ）のｙ軸成分が重力加速度に相当する値である場合には、表示領域Ｓａが横方向であると判断する（ステップＳ１４：ＹＥＳ）。制御部５０は、横方向を示す姿勢情報である場合にはタッチパネル１０を第１切替設定に切り替えると共に、姿勢情報を表示パネル制御部２１へ出力する（ステップＳ１５）。つまり、制御部５０は、横方向の姿勢情報である場合には、タッチパネル１０を駆動させる制御信号をタッチパネル制御部１１ｂに出力する。タッチパネル制御部１１ｂは、制御信号に応じて、タッチパネル１０の電極１０２に走査信号に出力し、電極１０１から出力される静電容量の検出結果を制御部５０に出力する。
【００３６】
図７Ａに示す横方向の姿勢の場合、スタイラスペン２を持つ手の小指側の手の部分はスタイラスペン２の横側、すなわち、長辺方向（電極１０１の配列方向）に沿って表示領域Ｓａに接触する。この姿勢では、短辺方向（電極１０２の配列方向）がセンス方向となる。その結果、スタイラスペン２の接触位置Ｐと手の接触位置とがセンス方向に位置せず、スタイラスペン２の接触位置を検出することが可能になる。
【００３７】
図８に戻り、説明を続ける。一方、検出部４０から出力される加速度データ（ａｘ，ａｙ）のｘ軸成分が重力加速度に相当する値である場合には、制御部５０は、表示領域Ｓａが縦方向であると判断する（ステップＳ１４：ＮＯ）。制御部５０は、縦方向を示す姿勢情報である場合にはタッチパネル１０を第２切替設定に切り替え、その姿勢情報を表示パネル制御部２１へ出力する（ステップＳ１６）。つまり、制御部５０は、縦方向の姿勢情報である場合には、タッチパネル１０を駆動させる制御信号をタッチパネル制御部１１ａに出力する。タッチパネル制御部１１ａは、制御信号に応じて、タッチパネル１０の電極１０１に走査信号に出力し、電極１０２から出力される静電容量の検出結果を制御部５０に出力する。
【００３８】
図７Ｂに示す縦方向の姿勢の場合、スタイラスペン２を持つ手の小指側の手の部分はスタイラスペン２の横側、すなわち、短辺方向（電極１０２の配列方向）に沿って表示領域Ｓａに接触する。この姿勢では、長辺方向（電極１０１の配列方向）がセンス方向となる。その結果、スタイラスペン２の接触位置Ｐと手の接触位置とがセンス方向に位置せず、スタイラスペン２の接触位置を検出することが可能になる。
【００３９】
図８に戻り、説明を続ける。表示パネル制御部２１は、制御部５０から横方向を示す姿勢情報を取得すると、表示パネル１０の表示方向を横方向に切り替えて画像を表示する（ステップＳ１７）。また、制御部５０から縦方向を示す姿勢情報を取得すると、表示パネル１０の表示方向を縦方向に切り替えて画像を表示する（ステップＳ１８）
【００４０】
制御部５０は、操作部６０又はスタイラスペン２を介して起動中のアプリケーションを終了させる操作を受付けるまで（ステップＳ１９：ＮＯ）、ステップＳ１４以下の処理を繰り返す。また、制御部５０は、操作部６０又はスタイラスペン２を介して起動中のアプリケーションを終了させる操作を受付けると（ステップＳ１９：ＮＯ）、起動中のアプリケーションプログラムを終了して処理を終了する。
【００４１】
ユーザがスタイラスペン２を持つ手が表示領域Ｓａと接触する位置は、ユーザから見て、スタイラスペン２の接触位置の横方向となる。従って、スタイラスペン２と手の接触位置の関係は表示装置１の姿勢によって定まる。上述した第１の実施形態では、表示装置１の姿勢に基づき、スタイラスペン２と手の接触位置とがセンス方向に含まれないようにタッチパネル１０のドライブ方向とセンス方向とを切り替える。その結果、スタイラスペン２を持つ手が、例えば表示領域Ｓａの中心部や外縁部などに接触していても、スタイラスペン２の接触位置を検出することができる。
【００４２】
（第２の実施形態）
上述した第１の実施形態では、表示装置１の姿勢に応じてタッチパネル切替処理を行う例を説明した。本実施形態では、スタイラスペン２を持つ手が表示領域Ｓａに接触している場合にタッチパネル切替処理を行う例について説明する。
【００４３】
この例では、アプリケーションの起動時においては、タッチパネル１０を第２切替設定で駆動させる。また、記憶部７０には、スタイラスペン２を持つ手が表示領域Ｓａに接触しているか否かを判断するための複数の形状パターンを示すデータが記憶されている。スタイラスペン２を持つ手が表示領域Ｓａに接触している領域の形状は、縦長の略楕円形状を有する。そのため、本実施形態では、例えば、図９に示すように、大きさが異なる縦長の略楕円形状を有する形状パターンＡと形状パターンＢを示すデータが記憶部７０に記憶されている。
【００４４】
図１０は、本実施形態に係る表示装置１の動作例を示す動作フローである。制御部５０は、アプリケーションを起動する指示を受け付けるまで待機する（ステップＳ２１：ＮＯ）。制御部５０は、操作部６０を介してアプリケーションを起動する指示を受け付けると（ステップＳ２１：ＹＥＳ）、指示されたアプリケーションのプログラムを記憶部７０内から読み出して起動する（ステップＳ２２）。
【００４５】
制御部５０は、タッチパネル制御部１１ａにより、第２切替設定でタッチパネル１０を駆動し、接触位置の検出を開始する（ステップＳ２３）。すなわち、タッチパネル１０の短辺方向（電極１０２の配列方向）がドライブ方向に設定され、長辺方向（電極１０１の配列方向）がセンス方向に設定される。
【００４６】
制御部５０は、検出部４０において加速度の検出を行い、表示装置１の姿勢の検出を開始する（ステップＳ２４）。具体的には、制御部５０は、検出部４０から出力される加速度データに基づいて表示装置１の姿勢を特定する。そして、制御部５０は、特定した姿勢を示す姿勢情報を表示パネル制御部２１に出力する。表示パネル制御部２１は、上述した第１の実施形態と同様、制御部５０から出力された姿勢情報に基づいて、表示方向を横方向又は縦方向に切り替えて画像を表示する（ステップＳ２５）。
【００４７】
タッチパネル制御部１１は、タッチパネル１０から出力される静電容量が予め定められた閾値以上である場合に（ステップＳ２６：ＹＥＳ）、その静電容量が検出された電極１０１と電極１０２の組み合わせに対応する座標を接触位置として制御部５０へ出力する。制御部５０は、タッチパネル制御部１１から出力された接触位置によって形成される接触領域が予め定められた形状であるか否か判断する（ステップＳ２７）。具体的には、制御部５０は、例えば公知の形状パターンマッチングの手法を用い、接触領域の形状と記憶部７０内の形状パターンＡ，Ｂとを照合する。
【００４８】
制御部５０は、形状パターンＡ，Ｂのいずれかの形状と接触領域の形状とが略一致する場合には（ステップＳ２７：ＹＥＳ）、タッチパネル制御部１１によってタッチパネル切替処理を行う（ステップＳ２８）。つまり、制御部５０は、姿勢情報が横方向である場合には、タッチパネル制御部１１ｂにより、タッチパネル１０を第１切替設定に切り替える。一方、制御部５０は、姿勢情報が縦方向である場合には、現在の設定、つまり、タッチパネル制御部１１ａによる第２切替設定を継続する。一方、制御部５０は、形状パターンＡ，Ｂのいずれかの形状と接触領域の形状とが略一致しない場合には（ステップＳ２７：ＮＯ）、ステップＳ２９に処理を移行する。
【００４９】
制御部５０は、操作部６０又はスタイラスペン２を介して、起動中のアプリケーションを終了する指示を受付けた場合には（ステップＳ２９：ＹＥＳ）、アプリケーションプログラムを終了して処理を終了する。
【００５０】
なお、ステップＳ２６において、タッチパネル１０で検出された静電容量が予め定められた閾値以上でない場合（ステップＳ２６：ＮＯ）、又は、起動中のアプリケーションを終了する指示を受付けていない場合（ステップＳ２９：ＮＯ）、ステップＳ２５以下の処理を繰り返し行う。
【００５１】
上述した第２の実施形態では、表示領域Ｓａにおける接触領域の形状に基づき、スタイラスペン２を持つ手を表示領域Ｓａに接触している場合に、表示装置１の姿勢に応じたタッチパネル切替処理を行う。スタイラスペン２を持つ手を表示領域Ｓａに接触させることなく入力が行われる場合や、接触していても接触面積が非常に小さい場合などにおいては、スタイラスペン２の接触による静電容量の変化を検出することができる。そのため、上記したようにスタイラスペン２を持つ手が表示領域Ｓａに接触していることを確認してからタッチパネル切替処理を行うことで、無駄な処理を行わないようにすることができる。
【００５２】
（第３の実施形態）
上述した第１の実施形態では、表示装置１の姿勢情報を検出部４０の検出結果から得る例について説明した。本実施形態では、表示装置１で実行されるアプリケーションから姿勢情報を得る例について説明する。
【００５３】
図１１は、本実施形態に係る表示装置１Ａの構成例を示すブロック図である。図１１は、表示装置１Ａに検出部４０が設けられていない点で第１の実施形態と異なる。また、本実施形態では、記憶部７０に記憶されているアプリケーションプログラムにおいて、画像の表示方向（横方向又は縦方向）を示す表示情報が予め設定されている。
【００５４】
制御部５０ａは、指示されたアプリケーションを実行する実行部として機能する。制御部５０ａは、実行するアプリケーションプログラムを記憶部７０から読み出した際、そのアプリケーションプログラムの表示情報から姿勢情報を生成する。そして、制御部５０ａは、生成した姿勢情報を表示パネル制御部２１へ出力する。
【００５５】
以下、本実施形態に係る表示装置１Ａのタッチパネル切替処理について、第１の実施形態と異なる処理を説明する。図１２は、表示装置１Ａにおけるタッチパネル切替処理を示す動作フローである。図１２において、第１の実施形態と同様の処理については同じ符号を付している。
【００５６】
制御部５０ａは、アプリケーションプログラムを記憶部７０から読み出して起動する（ステップＳ１１：ＹＥＳ，Ｓ１２）。そして、ステップＳ１３１において、制御部５０ａは、そのアプリケーションプログラムに予め含まれている表示情報を取得して姿勢情報を生成する。制御部５０ａは、生成した姿勢情報をタッチパネル制御部１１と表示パネル制御部２１へ出力する。具体的には、制御部５０ａは、アプリケーションプログラムの表示情報が横方向を表示方向とする場合には、横方向を示す姿勢情報を生成する。また、表示情報が縦方向を表示方向とする場合には、制御部５０ａは、縦方向を示す姿勢情報を生成する。制御部５０ａは、第１の実施形態と同様、姿勢情報に応じてタッチパネル制御部１１ａ又は１１ｂに制御信号を出力し、タッチパネル１０を駆動する（ステップＳ１５又はＳ１６）。表示パネル制御部２１は、第１の実施形態と同様、制御部５０ａから出力される姿勢情報に基づいて表示方向を切り替える処理を行う（ステップＳ１７又はＳ１８）。
【００５７】
アプリケーションによっては画像の表示方向を予め横方向（又は縦方向）として作成されている場合もある。このような場合、ユーザは、画像が表示される方向に従って表示装置１Ａの姿勢を変える。上述した第３の実施形態では、実行されるアプリケーションプログラムに任意に定められている表示情報から表示装置１Ａの姿勢を特定してタッチパネル１０のタッチパネル切替処理を行う。そのため、表示装置１Ａの姿勢を検出するための検出部４０を設けることなく、タッチパネル１０のドライブ方向とセンス方向を切り替えることができる。
【００５８】
（変形例）
以上、本発明についての実施形態を説明したが、本発明は上述の実施形態のみに限定されず、以下の各変形例の態様及び各変形例を組み合わせた態様も本発明の範囲に含まれる。
【００５９】
（１）上述した第１の実施形態では、表示装置１の姿勢に応じてタッチパネル１０のドライブ方向とセンス方向を切り替える例を説明した。本変形例では、表示装置１の姿勢とユーザ指示に応じてタッチパネル切替処理を行う。図１３は、本変形例に係る表示装置の動作例を示す動作フローである。この図において、第１の実施形態と同様の処理については同じ符号を付している。以下、第１の実施形態と異なる処理について説明する。
【００６０】
制御部５０は、アプリケーションの起動後、タッチパネル制御部１１ａにより、タッチパネル１０を第２切替設定で駆動させる（ステップＳ３１）。具体的には、タッチパネル１０の短辺方向（電極１０２の配列方向）がドライブ方向に設定され、長辺方向（電極１０１の配列方向）がセンス方向に設定される。
【００６１】
制御部５０は、第１の実施形態のステップＳ１３の処理と同様、検出部４０から出力される加速度データに基づく姿勢情報を特定して表示パネル制御部２１に出力する（ステップＳ１３）。そして、表示パネル制御部２１において、第１の実施形態と同様、姿勢情報に応じて表示方向を切り替える（ステップＳ１７，Ｓ１８）。
【００６２】
制御部５０は、姿勢情報が横方向を示している場合において、操作部６０を介してタッチパネル切替処理を指示する操作がなされた場合には（ステップＳ１４：ＹＥＳ、ステップＳ３２：ＹＥＳ）、タッチパネル１０を第１切替設定に切り替える（ステップＳ３３）。すなわち、タッチパネル制御部１１ｂにより、タッチパネル１０の電極１０２の配列方向がセンス方向に設定され、電極１０１の配列方向がドライブ方向に設定される。一方、姿勢情報が横方向を示している場合であっても、操作部６０を介してタッチパネル切替処理を指示する操作がなされなければ（ステップＳ１４：ＹＥＳ、ステップＳ３２：ＮＯ）、制御部５０は、現在の設定、つまり、タッチパネル制御部１１ａによる第２切替設定を継続する。
【００６３】
本変形例では、タッチパネル切替処理を行うか否かをユーザが任意に設定することができる。そのため、スタイラスペン２を持つ手を表示領域Ｓａに支持させて入力を行うユーザであれば、タッチパネル切替処理を指示する操作を行うことでスタイラスペン２の接触位置を検出させることができる。一方、スタイラスペン２を持つ手を表示領域Ｓａに支持させることなく入力を行うユーザであれば、タッチパネル切替処理を指示する操作を行わないことで無駄な処理を省くことができる。
【００６４】
（２）上述した第１から第３の実施形態では、液晶型の表示パネル２０を例に説明したが、例えば有機ＥＬ（Electroluminescence）などを用いた表示パネルであってもよい。
【００６５】
（３）上述した第１から第３の実施形態では表示装置を例に説明したが、タッチパネル１０とタッチパネル制御部１１の機能を有する位置情報出力装置が他の表示装置の表示パネルと接続されて用いられてもよい。
【００６６】
（４）上述した第１から第３の実施形態において、表示装置１の表示領域Ｓａは、スタイラスペン２を持つ手を表示面に支持させることができる程度の大きさであればよい。例えば、表示装置１としては７インチ以上の表示領域Ｓａを有するものとしてもよい。
【００６７】
（５）上述した第１の実施形態では、表示装置１に生じる物理量を２軸の加速度センサーを用いて検出する例を説明したが、３軸の加速度センサーを用いて物理量を検出してもよいし、角速度センサーを用いて物理量を検出してもよい。
【００６８】
（６）上述した第１の実施形態では、取得部５１において、検出部４０の検出結果を取得して姿勢情報を特定する例を説明したが、外部装置から姿勢情報を取得部５１が取得するようにしてもよい。
【符号の説明】
【００６９】
１…表示装置、１０…タッチパネル、１１，１１ａ，１１ｂ…タッチパネル制御部、２０…表示パネル、２０ａ…対向基板、２０ｂ…アクティブマトリクス基板、２０ｓ…ソース線、２０ｇ…ゲート線、２１…表示パネル制御部、３０…バックライト、３１…バックライト制御部、４０…検出部、５０，５０ａ…制御部、６０…操作部、７０…記憶部、１０１，１０２…電極、５１…取得部、５２…切替部、２０１…ゲートドライバ、２０２…ソースドライバ、２０３…ゲート線、２０４…ソース線
【図１】
2014085910.tif 000003
【図２】
2014085910.tif 000004
【図３】
2014085910.tif 000005
【図４】
2014085910.tif 000006
【図５】
2014085910.tif 000007
【図６】
2014085910.tif 000008
【図７Ａ】
2014085910.tif 000009
【図７Ｂ】
2014085910.tif 000010
【図８】
2014085910.tif 000011
【図９】
2014085910.tif 000012
【図１０】
2014085910.tif 000013
【図１１】
2014085910.tif 000014
【図１２】
2014085910.tif 000015
【図１３】
2014085910.tif 000016